(57)【要約】入力歪補償信号を作り出すために、ＲＦフィードバック・パスを使用することによって高効率性および高線形性を同時に備えながら、動作するようになされた電力増幅器。この電力増幅器は、主増幅器（ＭＡ２１）と、２つのスプリッタ（ＳＰ２１、ＳＰ３１）と、１つの合成器（ＣＯ２１）と、１つの減算器（ＳＵ２１）と、２つの移相器（ＰＨ２１、ＰＨ３１）と、１つの減衰器（ＡＴ２１）と、１つの誤差増幅器（ＥＡ２１）とを主に含む。スプリッタ、減算器、および合成器は、９０°または直交ハイブリッド結合器の形態で設計される。直交ハイブリッド装置は、いくつかの集中型または伝送線要素で実装することができ、同相スプリッタに比べて、同相端子および９０°移相端子に接続される負荷からの等しい値の反射率で、反射波が、主入力端子において欠けていき、その結果、直交ハイブリッド装置の入力電圧定常波比は、等しい負荷の不整合レベルに依存しないという重要な利点を有する。
2012502569.tif 000002
【特許請求の範囲】
【請求項１】
直交ハイブリッド・スプリッタ（ＳＰ２１）の主ポート（Ｄ２１）に接続される入力部を含む電力増幅器であって、前記直交ハイブリッド・スプリッタは、主増幅器（ＭＡ２１）および別の直交ハイブリッド装置（ＳＰ３１）を通して電力増幅器の出力部に結合される同相ポート（Ｄ２２）を含み、前記直交ハイブリッド・スプリッタ（ＳＰ２１）は、前記別の直交ハイブリッド装置（ＳＰ３１）に同様に結合される９０°移相ポート（Ｄ２３）をさらに含む、電力増幅器において、
前記直交ハイブリッド・スプリッタ（ＳＰ２１）の前記同相ポート（Ｄ２２）に接続される主ポート（Ｃ２１）と、前記主増幅器（ＭＡ２１）の入力部に接続される９０°移相ポート（Ｃ２３）とを有する直交ハイブリッド合成器（ＣＯ２１）をさらに含み、前記主増幅器の出力部は、前記別の直交ハイブリッド装置（ＳＰ３１）の同相ポート（Ｄ３２）に接続され、
前記直交ハイブリッド・スプリッタ（ＳＰ２１）の前記９０°移相ポート（Ｄ２３）は、減算器（ＳＵ２１）の第１の入力部に接続され、前記減算器（ＳＵ２１）の出力部は、第１の移相器（ＰＨ３１）を介して前記直交ハイブリッド合成器（ＣＯ２１）の分離ポート（Ｃ２４）に結合され、
前記別の直交ハイブリッド装置（ＳＰ３１）は、第２の移相器（ＰＨ２１）を介して前記減算器（ＳＵ２１）の第２の入力部に結合される９０°移相ポート（Ｄ３３）をさらに含み、
前記別の直交ハイブリッド装置（ＳＰ３１）は、電力増幅器の前記出力部に接続される主ポート（Ｄ３１）をさらに含むことを特徴とする、電力増幅器。
【請求項２】
前記減算器（ＳＵ２１）の出力部は、前記第１の移相器（ＰＨ３１）および誤差増幅器（ＥＡ２１）との直列接続を通して、前記直交ハイブリッド合成器（ＣＯ２１）の前記分離ポート（Ｃ２４）に結合されることを特徴とする、請求項１に記載の電力増幅器。
【請求項３】
前記別の直交ハイブリッド装置（ＳＰ３１）の前記９０°移相ポート（Ｄ３３）は、前記第２の移相器（ＰＨ２１）および減衰器（ＡＴ２１）との直列接続を通して、前記減算器（ＳＵ２１）の第２の入力部に結合されることを特徴とする、請求項１に記載の電力増幅器。
【請求項４】
前記別の直交ハイブリッド装置（ＳＰ３１）は、第２の直交ハイブリッド・スプリッタであることを特徴とする、請求項１に記載の電力増幅器。
【請求項５】
前記直交ハイブリッド装置（ＳＰ２１、ＳＰ３１、ＣＯ２１）のそれぞれが、入力信号を受信するようになされた主ポート（Ｄ２１、Ｄ３１、Ｃ２１）と、前記入力信号とほぼ同相の第１の出力信号を供給するようになされた同相ポート（Ｄ２２、Ｄ３２、Ｃ２２）と、前記第１の出力信号の前記位相に対して相対的に９０°の移相を示す第２の出力信号を供給するようになされた９０°移相ポート（Ｄ２３、Ｄ３３、Ｃ２３）と、分離ポート（Ｄ２４、Ｄ３４、Ｃ２４）とを含むことを特徴とする、請求項１に記載の電力増幅器。
【請求項６】
それぞれの直交ハイブリッド・スプリッタ（ＳＰ２１、ＳＰ３１）の前記分離ポート（Ｄ２４、Ｄ３４）が、インピーダンス（Ｚ２１、Ｚ４１）を通して接地されることを特徴とする、請求項５に記載の電力増幅器。
【請求項７】
前記直交ハイブリッド合成器（ＣＯ２１）の前記分離ポート（Ｄ２４、Ｄ３４）が、誤差増幅器（ＥＡ２１）の出力部に結合されることを特徴とする、請求項５に記載の電力増幅器。
【発明の詳細な説明】
【技術分野】
【０００１】
本発明は、直交ハイブリッド・スプリッタの主ポートに接続される入力部を有する電力増幅器に関し、前記直交ハイブリッド・スプリッタは、主増幅器および別の直交ハイブリッド装置を通して前記電力増幅器の出力部に結合される同相ポートを含み、前記直交ハイブリッド・スプリッタは、前記別の直交ハイブリッド装置にも結合される９０°移相ポートをさらに含む。
【背景技術】
【０００２】
そのような電力増幅器ＰＡは、グローバル・システム・フォー・モバイル・コミュニケーションズ／エンハンスド・データ・レート・フォー・ＧＳＭ・エボリューション（Ｅｎｈａｎｃｅｄ  Ｄａｔａ  ｒａｔｅｓ  ｆｏｒ  ＧＳＭ  Ｅｖｏｌｕｔｉｏｎ）ＧＳＭ／ＥＤＧＥ、符号分割多元接続ＣＤＭＡ２０００、広帯域符号分割多元接続Ｗ−ＣＤＭＡ、およびロング・ターム・エボリューションＬＴＥなどの通信システムにおいて既知であり、高効率性および高線形性を同時に備えながら、動作することが要求される。
【０００３】
しかし、効率と線形性との間に、一方が改善されれば他方が犠牲になるという二律背反の関係がある。一般に、基本的な線形化方法は、アナログおよびデジタル補正技術に基づいている。従来の基地局アーキテクチャは、通常、２つの単一のトランジスタ要素において１００Ｗ以上の電力出力レベルを発生させる電力増幅器を含む。
【０００４】
そのようなＰＡを線形化するために、通常、デジタル歪補償ＤＰＤが適用される。デジタル線形化システムは、負荷、処理、温度、または供給電圧変動による変化に適宜反応することができるように、定期的に更新される参照テーブルおよびフィードバック・パスに基づいたデジタル適応処理を要求する。適応アルゴリズムを使用して計算される振幅および位相の補正率は、参照テーブル内に記憶され、歪補償回路入力と電力増幅器出力との間の誤差を低減するために動的に更新される。しかし、電力増幅器をメモリなしであると見なすことができるとき、帯域幅制限を受けることなく、十分に線形性が改善されるが、これはＣＤＭＡ２００またはＷＣＤＭＡのような広帯域遠隔通信規格には当てはまらない。
【０００５】
指摘したように、適応デジタル歪補償が、デジタル信号プロセッサの著しい計算能力を用いて実施されるので、適応デジタル歪補償システムの複雑性は、深刻な欠点である。適応歪補償に関して、電力増幅器伝達特性を入念にモデル化することも必要である。計算量（computational effort）、サンプリング受信機の費用およびエネルギー消費、送受信機チェーンの広い帯域幅、およびダイプレクサ・フィルタのもたらされる複合性が、発生するＲＦ電力レベルと比べて、低い割合にあれば、ＤＰＤは、極めて効果的で効率的な線形化方法である。通常、これは、数十またはさらに１００ワット程度の高電力の適用例の場合である。しかし、基地局内の電力増幅器の数が増えた途端に、分散アンテナおよび能動アンテナの適用例の場合のように、たとえば、マクロ基地局の適用例用の能動アンテナにおいて、送受信機要素の数が約８〜１０になると、この取組みは、極めて高価になる。個々のデジタル歪補償−フィールド・プログラマブル・ゲート・アレイＤＰＤ−ＦＰＧＡを設定するために、それぞれのアンテナ要素における個々のサンプリング受信機および複合デュープレックス・フィルタは、フォーム・ファクタ、費用、および重量に関して桁違いに大きい。そのような場合に、別の、安価で、効率的で効果的な線形化方法が、適用される必要がある。提供する方法は、そのような種類のものであり、これは、効率が増大し、実装費用が低いアナログ線形化方法である。
【０００６】
線形性を改善する現行のフィードフォワード電力増幅器が、すでに存在するが、それらは、本質的に低効率である。そのような基本的アナログ線形化方法は、略ブロック図を図１に示す、フィードフォワード電力増幅器構成を表す。フィードフォワード電力増幅器システムは、主増幅器（ＭＡ１１）、３つの結合器（直交ハイブリッド・スプリッタ（ＳＰ１１）、減算器（ＳＵ１１）、および合成器である別の直交ハイブリッド装置（ＣＯ１１））、２つの移相器（ＰＨ１１、ＰＨ１２）、２つの減衰器（ＡＴ１１、ＡＴ１２）、および誤差増幅器（ＥＡ１１）を含む。
【０００７】
フィードフォワード線形化回路の動作は、２つの等しい信号の減算に基づいており、続いて増幅器出力スペクトルの誤差信号を除去する。その動作原理は、ブロック図の様々な点における２トーン・テスト・スペクトルによって示すことができる。入力信号は、分配され、２つの同一の部分を形成するが、通例では、分配プロセスに使用される割合は、等しくなる必要はない。次に、結合器−減算器（ｃｏｕｐｌｅｒ−ｓｕｂｔｒａｃｔｅｒ）によって結合される主増幅器出力信号の一部分が、原信号の時間遅延逆位相部分から減算され、誤差信号のみが残る。この減算の結果は、主増幅器によって発生する非線形歪みのみを理想的に含む誤差信号である。次に、誤差信号は、主要部分の歪みを除去するために要求レベルまで線形的に増幅され、出力合成器に送られ、出力合成器の残りの入力部に、時間遅延逆位相主要パス信号が送られる。
【０００８】
フィードフォワード線形化システム出力部で得られる信号は、誤差のない信号で、かつ原入力信号の増幅型である。しかし、出力部において要求誤差信号を得るために、誤差増幅器の消費電力が大きいので、このフィードフォワード・システムの効率は、極めて低い。それに加えて、出力パスにおける移相器および減衰器が、全システムの出力損失に大きく寄与する。
【先行技術文献】
【非特許文献】
【０００９】
【非特許文献１】「Ｑｕａｄｒａｔｕｒｅ  Ｈｙｂｒｉｄｓ  ９０°Ｐｏｗｅｒ  Ｄｉｖｉｄｅｒｓ／Ｃｏｍｂｉｎｅｒｓ  １０ＫＨｚ  Ｔｏ  ４０ＧＨｚ  Ｇｅｎｅｒａｌ  Ｉｎｆｏｒｍａｔｉｏｎ」、＜ｗｗｗ．ｍｅｒｒｉｍａｃｉｎｄ．ｃｏｍ／ｒｆｍｗ／０５ｉｎｔｒｏ  ｑｕａｄｈｙｂｒｉｄｓ．ｐｄｆ＞
【発明の概要】
【発明が解決しようとする課題】
【００１０】
本発明の目的は、以上の既知の種類の電力増幅器を提供することであるが、その効率が、改善される一方で、少なくとも同じ良好な線形性を維持する。
【課題を解決するための手段】
【００１１】
本発明によると、前記電力増幅器は、前記直交ハイブリッド・スプリッタの同相ポートに接続される主ポートと、前記主増幅器の入力部に接続される９０°移相ポートとを有する直交ハイブリッド合成器をさらに含み、前記主増幅器の出力部は、前記別の直交ハイブリッド装置の同相ポートに接続され、前記直交ハイブリッド・スプリッタの９０°移相ポートは、減算器の第１の入力部に接続され、減算器の出力部は、第１の移相器を介して前記直交ハイブリッド合成器の分離ポートに結合され、前記別の直交ハイブリッド装置は、第２の移相器を介して前記減算器の第２の入力部に結合される９０°移相ポートをさらに含み、前記別の直交ハイブリッド装置は、前記電力増幅器の出力部に接続される主ポートをさらに含むという事実によって、本目的が達成される。
【００１２】
このようにして、本増幅器は、本質的に線形化され、ＤＰＤを備える増幅器などのように、フィードバック・ループおよび極めて広い帯域幅を有する送信機チェーンを必要としない。その結果、一般のフィードフォワード方法と同じ線形性で、極めて高い効率を提供する。言い換えれば、本増幅器は、ＲＦ信号の高効率性および高線形性を同時に提供する。
【００１３】
本発明の別の特徴的な実施形態は、前記直交ハイブリッド装置の前記それぞれが、入力信号を受信するようになされた主ポートと、前記入力信号とほぼ同相の第１の出力信号を供給するようになされた同相ポートと、前記第１の出力信号の位相に対して相対的に９０°の移相を示す第２の出力信号を供給するようになされた９０°移相ポートと、分離ポートとを含むことである。後者の分離ポートは、直交ハイブリッド・スプリッタの場合には、インピーダンスを介して接地され、または直交ハイブリッド合成器の場合には、誤差増幅器の出力部に結合される。
【００１４】
そのような直交ハイブリッド装置は、たとえば、
＜ｗｗｗ．ｍｅｒｒｉｍａｃｉｎｄ．ｃｏｍ／ｒｆｍｗ／０５ｉｎｔｒｏ  ｑｕａｄｈｙｂｒｉｄｓ．ｐｄｆ＞
においてインターネット上で入手できる文献「Ｑｕａｄｒａｔｕｒｅ  Ｈｙｂｒｉｄｓ  ９０°Ｐｏｗｅｒ  Ｄｉｖｉｄｅｒｓ／Ｃｏｍｂｉｎｅｒｓ  １０ＫＨｚ  Ｔｏ  ４０ＧＨｚ  Ｇｅｎｅｒａｌ  Ｉｎｆｏｒｍａｔｉｏｎ」より既知である。
【００１５】
直交ハイブリッド装置は、同相スプリッタに比べて、同相ポートおよび９０°移相ポート、もしくはそれぞれ、またはそれぞれの出力端子２および３に接続される負荷からの等しい値の反射率で、反射波が、主ポートまたは入力端子１において欠けていき、その結果、直交ハイブリッド装置の入力電圧定常波比は、等しい負荷の不整合レベルに依存しないという重要な利点を有する。
【００１６】
さらに、本電力増幅器の特徴的な実施形態は、添付の特許請求の範囲に記載される。
【００１７】
特許請求の範囲に使用される用語「含む」は、その後に記載される手段に限定されるものと解釈すべきではないことに留意されたい。したがって、表現「手段ＡおよびＢを含むデバイス」の範囲は、要素ＡおよびＢのみから構成されるデバイスに限定すべきではない。それは、本発明に関して、デバイスの関連する要素のみが、ＡおよびＢであるという意味である。
【００１８】
同様に、特許請求の範囲にも使用される用語「結合される」は、直接接続のみに限定されるものと解釈すべきでないことに留意されたい。したがって、表現「デバイスＢに結合されたデバイスＡ」の範囲は、デバイスＡの出力部が、デバイスＢの入力部に直接接続されるデバイスまたはシステムに限定すべきではない。それは、他のデバイスまたは手段を含むパスである可能性がある、Ａの出力部とＢの入力部との間のパスが存在することを意味する。
【００１９】
本発明の以上の、および他の目的ならびに特徴は、添付の図面と併せて行う実施形態の以下の説明を参照することにより、より明白になり、本発明自体を最もよく理解されよう。
【図面の簡単な説明】
【００２０】
【図１】先行技術として知られるフィードフォワード電力増幅器を表す図である。
【図２】本発明による、電力増幅器を表す図である。
【図３】本電力増幅器に使用される直交ハイブリッド装置の略ブロック図である。
【発明を実施するための形態】
【００２１】
図１に示されるフィードフォワード電力増幅器は、先行技術として知られ、主増幅器ＭＡ１１、直交ハイブリッド・スプリッタＳＰ１１、直交ハイブリッド減算器ＳＵ１１、直交ハイブリッド合成器ＣＯ１１、２つの移相器ＰＨ１１およびＰＨ１２、２つの減衰器ＡＴ１１およびＡＴ１２、ならびに誤差増幅器ＥＡ１１を含む。
【００２２】
フィードフォワード線形化回路の動作は、２つの等しい信号の減算に基づいており、続いて増幅器出力スペクトルの誤差信号を除去する。その動作原理は、ブロック図の様々な点における２トーン・テスト・スペクトルによって示すことができる。入力信号Ｄ１１は、分配され、２つの同一の部分Ｄ１２およびＤ１３を形成するが、通例では、分配プロセスＳＰ１１に使用される割合は、等しくなる必要はない。次に、結合器−減算器ＳＵ１１によって結合される主増幅器出力信号の一部分Ｓ１１が、原信号の時間遅延逆位相部分Ｓ１４から減算され、誤差信号Ｓ１３のみが残る。この減算の結果は、主増幅器ＭＡ１１によって発生する非線形歪みのみを理想的に含む誤差信号Ｓ１３である。次に、誤差信号は、主要部分の歪みを除去するために要求レベルＣ１１まで線形的に増幅され、出力合成器ＣＯ１１に送られ、出力合成器ＣＯ１１の残りの入力部に、時間遅延逆位相主要パス信号Ｃ１２が送られる。
【００２３】
フィードフォワード線形化システム出力部で得られる信号Ｃ１３は、誤差のない信号で、かつ原入力信号Ｄ１１の増幅型である。しかし、出力部において要求誤差信号Ｃ１１を得るために、誤差増幅器ＥＡ１１の消費電力が大きいので、このフィードフォワード・システムの効率は、極めて低い。それに加えて、出力パスにおける移相器ＰＨ１１および減衰器ＡＴ１１が、全システムの出力損失に大きく寄与する。
【００２４】
非効率なフィードフォワードを使用する代わりに、本発明の電力増幅器は、ＲＦフィードバック・パスを使用して入力歪補償信号を作り出す。線形化ＲＦフィードバック・システムである、この電力増幅器が、図２に示される。この電力増幅器は、主増幅器ＭＡ２１と、２つのスプリッタＳＰ２１およびＳＰ３１と、１つの合成器ＣＯ２１と、１つの減算器ＳＵ２１と、２つの移相器ＰＨ２１およびＰＨ３１と、１つの減衰器ＡＴ２１と、１つの誤差増幅器ＥＡ２１とを主に含む。
【００２５】
より詳細には、本電力増幅器は、第１の直交ハイブリッド・スプリッタＳＰ２１の主ポートＤ２１に接続される入力部を含み、直交ハイブリッド装置に関するより詳細な説明は、後に提供する。
【００２６】
直交ハイブリッド・スプリッタＳＰ２１は、主増幅器ＭＡ２１および第２の直交ハイブリッド・スプリッタＳＰ３１を通して電力増幅器の出力部に結合される直交ハイブリッド合成器ＣＯ２１の主ポートＣ２１に接続される同相ポートＤ２２と、減算器ＳＵ２１の第１の入力部に接続される９０°移相ポートＤ２３と、インピーダンスＺ２１を介して接地される分離ポートＤ２４とを含む。
【００２７】
直交ハイブリッド合成器ＣＯ２１は、主増幅器ＭＡ２１の入力部に接続される９０°移相ポートＣ２３と、誤差増幅器ＥＡ２１の出力部に接続される分離ポートＣ２４とを含む。
【００２８】
主増幅器ＭＡ２１の出力部は、第２の直交ハイブリッド・スプリッタＳＰ３１の同相ポートＤ３２に接続され、第２の直交ハイブリッド・スプリッタＳＰ３１の主ポートＤ３１は、電力増幅器の出力部に接続され、分離ポートＤ３４は、インピーダンスＺ４１を介して接地される。第２の直交ハイブリッド・スプリッタＳＰ３１は、移相器ＰＨ２１および減衰器ＡＴ２１との直列接続を通して、減算器ＳＵ２１の第２の入力部に接続される９０°移相ポートＤ３３をさらに含む。
【００２９】
減算器ＳＵ２１は、別の移相器ＰＨ３１および誤差増幅器ＥＡ２１との直列接続を通して、直交ハイブリッド合成器ＣＯ２１の分離ポートＣ２４に接続される出力部を含む。この場合に、同相ポートＤ２２および分離ポートＣ２４は、互いに分離しており、したがって、入力信号も、誤差増幅器の出力部へ流れず、誤差信号も、入力部へ流れない。その結果、誤差増幅器ＥＡ２１によって増幅された適当に移相された誤差信号は、主増幅器ＭＡ２１の入力部および負荷インピーダンスＺ３１のみへ流れる。
【００３０】
このシステムの動作は、２つの等しい信号の減算に基づいており、続いて逆位相の誤差信号を増幅器入力スペクトルへ加える。全ての信号に利用可能なポートと同様の符号を付けることにして、第１に、入力信号Ｄ２１は、分配され、２つの同一の部分Ｄ２２およびＤ２３を形成するが、通例では、分配プロセスに使用される割合は、等しくなる必要はない。それと同時に、スプリッタによってＲＦフィードバック・パスに結合された主増幅器出力信号の時間遅延逆位相部分は、原信号の一部分から減算され、誤差信号のみが残る。この減算の結果は、基本的に、主増幅器ＭＡ２１によってもたらされる非線形歪みのみを理想的に含む誤差信号である。
【００３１】
次に、誤差信号は、電力増幅器の入力に加えられるときに、電力増幅器の非線形歪みを補償するために、誤差増幅器ＥＡ２１によって要求レベルまで線形的に増幅され、適当に移相される。
【００３２】
合成器は、通常、誤差信号が主増幅器の入力部のみに供給され、誤差信号がシステム入力部へ流れないことを意味する９０°ハイブリッド結合器を表す。ＲＦフィードバックを含む線形化システムの出力部で得られる信号は、理想的な場合には誤差のない信号であり、実際には基本的に、原入力信号の増幅型である。
【００３３】
このシステムにおいて、誤差信号の要求電力レベルが、主増幅器の電力利得に等しい比率だけ低いので、誤差増幅器の消費量は、上述の既知のフィードフォワードの場合よりも低い。それに加えて、主増幅器の出力部に損失の多い減衰器および移相器を使用する必要がない。
【００３４】
上述のスプリッタ、減算器、および合成器は、図３に示されるように、９０°ハイブリッド結合器の形態で設計することができる。９０°ハイブリッド結合器または直交ハイブリッド装置は、たとえば、
＜ｗｗｗ．ｍｅｒｒｉｍａｃｉｎｄ．ｃｏｍ／ｒｆｍｗ／０５ｉｎｔｒｏ  ｑｕａｄｈｙｂｒｉｄｓ．ｐｄｆ＞
においてインターネット上で入手できる文献「Ｑｕａｄｒａｔｕｒｅ  Ｈｙｂｒｉｄｓ  ９０°Ｐｏｗｅｒ  Ｄｉｖｉｄｅｒｓ／Ｃｏｍｂｉｎｅｒｓ  １０ＫＨｚ  Ｔｏ  ４０ＧＨｚ  Ｇｅｎｅｒａｌ  Ｉｎｆｏｒｍａｔｉｏｎ」より既知である。
【００３５】
その中に、９０°電力分配器／合成器は、１０ｋＨｚから４０ＧＨｚまでで動作することができる４ポート・ネットワークであり、幅広い種類のパッケージの選択肢において利用できることが述べられている。これらのデバイスは、２つの相補的な機能を実行することができる。すなわち、
ａ）電力分配器：１つの機能は、入力信号を２つの出力信号に等しく分配する一方で、出力の一方に、他方の出力の位相に対して９０°の移相をもたらすことである。したがって、出力は、それらのそれぞれの位相が、１「４分円」または単純に９０°だけ異なることを意味する直交関係を示す。
ｂ）合成器：相補的な機能は、振幅が等しく、位相が直交した、２つの入力信号を合成して、単一の出力信号にすることである。
【００３６】
例として、全てのポートが、図３に示されるハイブリッド分岐線合成器に適合するとき、図３で主ポートまたは単に入力部と呼ばれる電力入力ポート１は、図３で同相ポートまたは同相出力部と呼ばれる出力ポート２と、図３で９０°移相ポートまたは逆位相出力部と呼ばれるポート３とに分配され、これらの出力部の間で９０°移相し、分離ポート４には、電力が供給されない。
【００３７】
直交ハイブリッド装置は、通常、いくつかの集中型または４分の１波長λ／４の伝送線要素で実装することができる。特性インピーダンスＺ０／√２を有する、第１の４分の１波長λ／４の伝送線が、ポート１と２との間に接続される。特性インピーダンスＺ０／√２を同様に有する、第２の４分の１波長λ／４の伝送線が、ポート４と３との間に接続される。特性インピーダンスＺ０を有する、第３の４分の１波長λ／４の伝送線が、ポート１と４との間に接続される。特性インピーダンスＺ０を同様に有する、第４の４分の１波長λ／４の伝送線が、ポート２と３との間に接続される。
【００３８】
以上の例において、全ての反射電力は、分離ポート４に接続される５０Ωバラスト抵抗器Ｒ０＝Ｚ０内で消散する。減算器は、同相（０°）または逆位相（１８０°）の合成器で表すことができる。
【００３９】
電力増幅器の段数は、要求電力および電力利得によって異なる可能性がある点に留意されたい。
【００４０】
本発明の実施形態を、機能ブロックに関して以上に説明したことを最後に述べる。以上に提供された、これらのブロックの機能的な説明より、電子デバイスを設計する当業者にとっては、これらのブロックの実施形態を周知の電子要素で製作することを可能にする方法が、明らかになる。故に、機能ブロックの内容の詳細なアーキテクチャを提供しない。
【００４１】
本発明の原理を、特定の装置に関して以上に説明してきたが、本説明は、例を用いて行ったにすぎず、添付の特許請求の範囲に規定される本発明の範囲を限定するものではないことを明確に理解されたい。
【図１】
2012502569.tif 000003
【図２】
2012502569.tif 000004
【図３】
2012502569.tif 000005
【国際調査報告】
2012502569.tif 000006
2012502569.tif 000007